(57)【要約】  受信品質測定装置（１００）に、受信信号に対し等化処理を行って等化受信信号を算出する等化処理手段（１）と、等化受信信号を用いて格子点間距離推定値を算出する格子点間距離推定手段（２）と、格子点間距離推定値を用いてＲＳＳＩ推定値を算出するＲＳＳＩ推定手段（３）と、格子点間距離推定値からＲＳＳＩ推定値を減算して、ＩＳＳＩ推定値を算出するＩＳＳＩ推定手段（４）と、ＲＳＳＩ推定値をＩＳＳＩ推定値で除算して、受信品質を表すＳＩＲを算出する除算手段（５）と、を備えた。
2014045483.tif 000002
【特許請求の範囲】
【請求項１】
受信信号に対し等化処理を行って等化受信信号を算出する等化処理手段と、
前記等化受信信号を用いて格子点間距離推定値を算出する格子点間距離推定手段と、
前記格子点間距離推定値を用いてＲＳＳＩ推定値を算出するＲＳＳＩ推定手段と、
前記格子点間距離推定値から前記ＲＳＳＩ推定値を減算して、ＩＳＳＩ推定値を算出するＩＳＳＩ推定手段と、
前記ＲＳＳＩ推定値を前記ＩＳＳＩ推定値で除算して、受信品質を表すＳＩＲを算出する除算手段と、
を備える受信品質測定装置。
【請求項２】
前記等化処理手段は、チャネル推定手段と、雑音抑圧手段と、等化ウェイト算出手段と、等化算出手段と、を備え、
前記チャネル推定手段は、前記受信信号のチャネル推定値を推定し、
前記雑音抑圧手段は、前記チャネル推定値に対し雑音処理を行い、
前記等化ウェイト算出手段は、前記雑音処理後のチャネル推定値を用いて、等化ウェイトを算出し、
前記等化算出手段は、前記雑音処理後のチャネル推定値と、前記等化ウェイトとを用いて、前記等化受信信号を算出する請求項１に記載の受信品質測定装置。
【請求項３】
前記雑音処理後のチャネル推定値をＨ（ｋ）、前記等化ウェイトをＷ（ｋ）とした場合に、前記等化受信信号Ｙ（ｋ）は、次の（１）式で表される請求項２に記載の受信品質測定装置。
【数１】
2014045483.tif 000017
【請求項４】
前記等化受信信号Ｙ（ｋ）の電力の期待値は、前記格子点間距離推定値で表される請求項２又は３に記載の受信品質測定装置。
【請求項５】
受信信号に対し等化処理を行って等化受信信号を算出し、
前記等化受信信号を用いて格子点間距離推定値を算出し、
前記格子点間距離推定値を用いてＲＳＳＩ推定値を算出し、
前記格子点間距離推定値から前記ＲＳＳＩ推定値を減算して、ＩＳＳＩ推定値を算出し、
前記ＲＳＳＩ推定値を前記ＩＳＳＩ推定値で除算して、受信品質を表すＳＩＲを算出する、受信品質測定方法。
【請求項６】
前記等化処理において、
前記受信信号のチャネル推定値を推定し、
前記チャネル推定値に対し雑音処理を行い、
前記雑音処理後のチャネル推定値を用いて、等化ウェイトを算出し、
前記雑音処理後のチャネル推定値と、前記等化ウェイトとを用いて、前記等化受信信号を算出する請求項５に記載の受信品質測定方法。
【請求項７】
前記雑音処理後のチャネル推定値をＨ（ｋ）、前記等化ウェイトをＷ（ｋ）とした場合に、前記等化受信信号Ｙ（ｋ）は、次の（１）式で表される請求項６に記載の受信品質測定方法。
【数１】
2014045483.tif 000018
【請求項８】
前記等化受信信号Ｙ（ｋ）の電力の期待値は、前記格子点間距離推定値で表される請求項６又は７に記載の受信品質測定方法。
【発明の詳細な説明】
【技術分野】
【０００１】
本発明は受信品質測定装置及び受信品質測定方法に関する。
【背景技術】
【０００２】
移動通信システムにおいては、フェージングの影響により、伝播環境が変動する。そのため、伝播環境に合わせて信号を送信する必要がある。
送信信号を制御する手段として、適応変調方式（ＡＭＣ：Adaptive  Modulation  and  Coding）や送信電力制御（ＴＰＣ：Transmit  Power  Control）などの技術が用いられている。
適応変調方式とは、移動通信端末装置に最適な変調方式や符号化率を適応的に制御する送信信号制御手段である。また、送信電力制御とは、移動通信端末の送信信号の送信電力を制御する送信信号制御手段である。
適応変調方式や送信電力制御においては、受信信号の品質（以下、「受信品質」と称する。）に基づいて、最適な送信信号を送信することができるように、変調方式や符号化率又は送信電力を制御するため、受信装置において受信品質を推定することが必要となる。【０００３】
特許文献１及び２には、受信信号の希望波信号レベル（以下、「ＲＳＳＩ（Received  Signal  Strength  Indicator）」と称する。）と干渉波レベル（以下、「ＩＳＳＩ（Interference  Signal  Strength  Indicator）」と称する。）とから、受信品質として、希望波信号対干渉波信号比（以下、「ＳＩＲ（Signal  to  Interference  power  Ratio）」と称する。）を測定する技術が記載されている。
【先行技術文献】
【特許文献】
【０００４】
【特許文献１】特開２００３−１５８４８７号公報
【特許文献２】特開２００２−１１１７７１号公報
【発明の概要】
【発明が解決しようとする課題】
【０００５】
しかし、特許文献１では、ＩＳＳＩを推定するために、過去に推定したＩＳＳＩと現在推定したＩＳＳＩとに重みづけを行って加算する必要がある。そのため、演算量が大きくなってしまうという問題がある。
また、特許文献２では、格子点間距離を近似的に推定して得られた推定値に対して誤差を補正することにより、雑音レベル（ＩＳＳＩと同等の意味を持つ）を推定する。しかし、格子点間距離を近似的に推定するため、誤差が大きくなるという問題がある。そして、当該誤差を補正するため、演算量や回路規模が大きくなるという問題がある。
また、従来の受信品質測定装置では、総受信電力推定値からＲＳＳＩ推定値を減算して、ＩＳＳＩ推定値を算出している。また、信号帯域内のサブキャリア数で、等化受信信号の電力の加算平均値を算出し、当該平均値を総受信電力推定値としている。なお、等化受信信号は、受信信号に対して等化処理を行うことにより得ている。そのため、送受信電力推定値を算出する際における加算平均処理の演算量が大きくなってしまうという課題がある。
【課題を解決するための手段】
【０００６】
本発明の第１の態様に係る受信品質測定装置は、受信信号の受信品質を測定する。また、前記受信品質測定装置は、等化処理手段と、格子点間距離推定手段と、ＲＳＳＩ推定手段と、ＩＳＳＩ推定手段と、除算手段とを備える。前記等化処理手段は、前記受信信号に対し等化処理を行って等化受信信号を算出する。前記格子点間距離推定手段は、前記等化受信信号を用いて格子点間距離推定値を算出する。前記ＲＳＳＩ推定手段は、前記格子点間距離推定値を用いてＲＳＳＩ推定値を算出する。前記ＩＳＳＩ推定手段は、前記格子点間距離推定値から前記ＲＳＳＩ推定値を減算して、ＩＳＳＩ推定値を算出する。前記除算手段は、前記ＲＳＳＩ推定値を前記ＩＳＳＩ推定値で除算して、前記受信品質を表すＳＩＲを算出する。【０００７】
本発明の第２の態様に係る受信品質測定方法は、受信信号の受信品質を測定する方法である。また、前記受信品質測定方法においては、まず、前記受信信号に対し等化処理を行って等化受信信号を算出する。次に、前記等化受信信号を用いて格子点間距離推定値を算出する。次に、前記格子点間距離推定値を用いてＲＳＳＩ推定値を算出する。次に、前記格子点間距離推定値から前記ＲＳＳＩ推定値を減算して、ＩＳＳＩ推定値を算出する。次に、前記ＲＳＳＩ推定値を前記ＩＳＳＩ推定値で除算して、前記受信品質を表すＳＩＲを算出する。
【発明の効果】
【０００８】
本発明によれば、より少ない演算量で、受信信号の受信品質を測定することができる。
【図面の簡単な説明】
【０００９】
【図１】実施の形態１にかかる受信品質測定装置の一例を示すブロック図である。
【図２】実施の形態１にかかる等化処理部の一例を示すブロック図である。
【図３】比較例１にかかる受信品質測定装置の一例を示すブロック図である。
【図４】比較例１にかかる等化処理部の一例を示すブロック図である。
【図５】理想的な等化受信信号及び比較例１にかかる等化処理手段から出力される等化受信信号の特性を示すグラフである。
【発明を実施するための形態】
【００１０】
以下、図面を参照して本発明の実施の形態について説明する。なお、本発明は、以下の実施形態に限定されるものではない。
実施の形態１
本発明の実施の形態１にかかる受信品質測定装置１００は、図１に示すように、等化処理手段１、格子点間距離推定手段２、ＲＳＳＩ推定手段３、ＩＳＳＩ推定手段４、除算手段５等を備えている。
また、受信品質測定装置１００は、ＣＰＵ（Central  Processing  Unit；図示省略）等を備えるコンピュータ（図示省略）等を有している。そして、ＣＰＵが、受信品質測定装置１００の各種機能を実現するためのプログラムを実行することにより、受信品質測定装置１００の各種機能が実現する。具体的には、ＣＰＵは、受信品質測定装置１００の各種機能を実現するためのプログラムを実行することにより、等化処理手段１、格子点間距離推定手段２、ＲＳＳＩ推定手段３、ＩＳＳＩ推定手段４、除算手段５等として機能する。
【００１１】
等化処理手段１は、図２に示すように、チャネル推定手段１１、雑音抑圧手段１２、等化ウェイト算出手段１３、等化算出手段１４等を備えている。
そして、等化処理手段１は、受信信号に対して等化処理を行う。
【００１２】
まず、等化処理手段１における等化処理について説明する。
チャネル推定手段１１は、受信信号を用いてチャネル推定値Ｈ'（ｋ）を推定する（ｋは、０≦ｋ≦Ｎ−１を満たす正の整数。Ｎは、信号帯域内のサブキャリア数である。）。ここで、チャネル推定手段１１に入力される受信信号は、無線周波数からベースバンド周波数に変換されている。
また、チャネル推定手段１１は、チャネル推定値Ｈ'（ｋ）を雑音抑圧手段１２に入力する。
【００１３】
雑音抑圧手段１２は、チャネル推定値Ｈ'（ｋ）に対して雑音抑圧処理を行う。例えば、雑音抑圧手段１２は、チャネル推定値Ｈ'（ｋ）を用いて、各サブキャリアのチャネルを推定し、全てのサブキャリアのチャネルの平均値を算出し、当該平均値を、雑音処理後のチャネル推定値Ｈ（ｋ）とする（ｋは、０≦ｋ≦Ｎ−１を満たす正の整数。Ｎは、信号帯域内のサブキャリア数である。）。ここで、サブキャリア数は任意の値であり、あらかじめ受信信号等の特性を取得した上で、ユーザ等により、最適な特性となったサブキャリア数に設定される値である。
また、雑音抑圧手段１２は、雑音処理後のチャネル推定値Ｈ（ｋ）を等化ウェイト算出手段１３及び等化算出手段１４に入力する。
【００１４】
等化ウェイト算出手段１３は、雑音処理後のチャネル推定値Ｈ（ｋ）を用いて、等化ウェイトＷ（ｋ）を算出する（ｋは、０≦ｋ≦Ｎ−１を満たす正の整数。Ｎは、信号帯域内のサブキャリア数である。）。等化ウェイトＷ（ｋ）の算出には、例えば、最小平均二乗誤差（ＭＭＳＥ；Minimum  Mean  Square  Error）法などのアルゴリズムを用いることができる。より具体的には、等化ウェイト算出手段１３は、雑音処理後のチャネル推定値Ｈ（ｋ）と、予め定められたチャネル推定値との誤差（平均二乗誤差）が最小となるウェイトを算出し、当該ウェイトを等化ウェイトＷ（ｋ）とする。
また、等化ウェイト算出手段１３は、等化ウェイトＷ（ｋ）を等化算出手段１４に入力する。
【００１５】
等化算出手段１４は、雑音処理後のチャネル推定値Ｈ（ｋ）と、等化ウェイトＷ（ｋ）とを、サブキャリア毎に乗算し、等化受信信号Ｙ（ｋ）を算出する（ｋは、０≦ｋ≦Ｎ−１を満たす正の整数。Ｎは、信号帯域内のサブキャリア数である。）。
また、等化算出手段１４は、等化受信信号Ｙ（ｋ）を格子点間距離推定手段２に入力する。
等化算出手段１４によって算出された等化受信信号Ｙ（ｋ）は、次の（１）式により表される。
【数１】
2014045483.tif 000003
【００１６】
次に、格子点間距離推定手段２、ＲＳＳＩ推定手段３、ＩＳＳＩ推定手段４、除算手段５における処理について説明する。
格子点間距離推定手段２は、等化受信信号Ｙ（ｋ）を用いて、格子点間距離推定値ＬＤを算出する。格子点間距離推定値ＬＤは、次の（２）式により表される。
【数２】
2014045483.tif 000004
なお、（２）式において、ｒｅａｌ（Ｘ）は、Ｘの実部を意味する。また、格子点間距離推定手段２は、格子点間距離推定値ＬＤをＲＳＳＩ推定手段３及びＩＳＳＩ推定手段４に入力する。
【００１７】
ＲＳＳＩ推定手段３は、格子点間距離推定値ＬＤを用いて、ＲＳＳＩ（Received  Signal  Strength  Indicator）推定値を算出する。ＲＳＳＩ推定値は、次の（３）式により表される。
【数３】
2014045483.tif 000005
ＲＳＳＩ推定値は、等化受信信号Ｙ（ｋ）を信号帯域内のサブキャリア数で同相加算した電力値であり、上記（３）式に示すように、格子点間距離推定値ＬＤのみで表すことができる。なお、（３）式において、ｒｅａｌ（Ｘ）は、Ｘの実部を意味し、ＲＳＳＩは、ＲＳＳＩ推定値を意味する。
また、ＲＳＳＩ推定手段３は、ＲＳＳＩ推定値をＩＳＳＩ推定手段４及び除算手段５に入力する。
【００１８】
ＩＳＳＩ推定手段４は、減算手段４１のみで構成されている。ＩＳＳＩ推定手段４は、格子点間距離推定値ＬＤと、ＲＳＳＩ推定値とを用いて、ＩＳＳＩ（Interference  Signal  Strength  Indicator）推定値を算出する。
より具体的には、減算手段４１が、格子点間距離推定値ＬＤからＲＳＳＩ推定値を減算し、ＩＳＳＩ推定値を算出する。換言すれば、等化受信信号Ｙ（ｋ）の格子点間距離推定値ＬＤから、等化受信信号Ｙ（ｋ）のＲＳＳＩ推定値を減算して得られる差分を、ＩＳＳＩ推定値とみなすことができる。これは、等化受信信号Ｙ（ｋ）の電力の期待値が、格子点間距離ＬＤで表すことができるためである。これについては、下記で詳細する。
また、ＩＳＳＩ推定手段４は、ＩＳＳＩ推定値を除算手段５に入力する。
【００１９】
除算手段５は、ＲＳＳＩ推定値をＩＳＳＩ推定値で除算し、受信品質を表す希望波信号対干渉波信号比（ＳＩＲ；Signal  to  Interference  power  Ratio）を算出する。
【００２０】
次に、ＩＳＳＩ推定手段４による処理において、格子点間距離推定値ＬＤからＲＳＳＩ推定値を減算するだけで、ＩＳＳＩ推定値を算出できる理由について説明する。
まず、等化受信信号Ｙ（ｋ）の電力の期待値は、次の（４）式で表すことができる。
【数４】
2014045483.tif 000006
【００２１】
上記（４）式を展開すると、次の（５）式のようになる。
【数５】
2014045483.tif 000007
なお、（５）式において、Ｅ（Ｘ）は、Ｘの期待値を意味し、ｒｅａｌ（Ｘ）は、Ｘの実部を意味する。また、（５）式において、ｎ（ｋ）は雑音ベクトル、ｎ＊（ｋ）は雑音ベクトルの複素共役転置、Ｗ＊（ｋ）は等化ウェイトＷ（ｋ）の複素共役転置を意味する。
（５）式より、等化受信信号Ｙ（ｋ）の電力の期待値は、格子点間距離推定値ＬＤで表すことができることが分かる。
【００２２】
また、等化受信信号Ｙ（ｋ）の電力の期待値は、ＲＳＳＩ推定値とＩＳＳＩ推定値の和である。そのため、格子点間距離推定値ＬＤは、次の（６）式で表すことができる。
【数６】
2014045483.tif 000008
なお、（６）式において、ＩＳＳＩは、ＩＳＳＩ推定値を意味し、ＲＳＳＩは、ＲＳＳＩ推定値を意味する。
【００２３】
そして、上記（３）式を用いて、上記（６）式を変形すると、ＩＳＳＩ推定値は、次の（７）式で表すことができる。
【数７】
2014045483.tif 000009
従って、（７）式より、格子点間距離推定値ＬＤからＲＳＳＩ推定値を減算することにより、ＩＳＳＩ推定値を算出することができる。なお、（７）式において、ＩＳＳＩは、ＩＳＳＩ推定値を意味し、ＲＳＳＩは、ＲＳＳＩ推定値を意味する。
そのため、実施の形態１にかかるＩＳＳＩ推定手段４では、等化受信信号Ｙ（ｋ）の総受信電力推定値を算出しなくても、ＩＳＳＩ推定値を算出することができる。
【００２４】
比較例１
次に、比較例１にかかる受信品質測定装置２００について説明する。比較例１にかかる受信品質測定装置２００は、図３に示すように、等化処理手段６、格子点間距離推定手段７、ＲＳＳＩ推定手段８、ＩＳＳＩ推定手段９、除算手段１０等を備えている。
また、受信品質測定装置２００は、ＣＰＵ（図示省略）等を備えるコンピュータ（図示省略）等を有している。そして、ＣＰＵが、受信品質測定装置２００の各種機能を実現するためのプログラムを実行することにより、受信品質測定装置２００の各種機能が実現する。具体的には、ＣＰＵは、受信品質測定装置２００の各種機能を実現するためのプログラムを実行することにより、等化処理手段６、格子点間距離推定手段７、ＲＳＳＩ推定手段８、ＩＳＳＩ推定手段９、除算手段１０等として機能する。
【００２５】
等化処理手段６は、図４に示すように、チャネル推定手段６１、雑音抑圧手段６２、等化ウェイト算出手段６３、等化算出手段６４等を備えている。
そして、等化処理手段６は、受信信号に対して等化処理を行う。
【００２６】
まず、等化処理手段６における等化処理について説明する。
チャネル推定手段６１は、受信信号を用いてチャネル推定値Ｈ'（ｋ）を推定する（ｋは、０≦ｋ≦Ｎ−１を満たす正の整数。Ｎは、信号帯域内のサブキャリア数である。）。ここで、チャネル推定手段６１に入力される受信信号は、無線周波数からベースバンド周波数に変換されている。
また、チャネル推定手段６１は、チャネル推定値Ｈ'（ｋ）を雑音抑圧手段６２及び等化算出手段６４に入力する。
【００２７】
雑音抑圧手段６２は、チャネル推定値Ｈ'（ｋ）に対して雑音抑圧処理を行う。例えば、雑音抑圧手段６２は、チャネル推定値Ｈ'（ｋ）を用いて、各サブキャリアのチャネルを推定し、全てのサブキャリアのチャネルの平均値を算出し、当該平均値を、雑音処理後のチャネル推定値Ｈ（ｋ）とする（ｋは、０≦ｋ≦Ｎ−１を満たす正の整数。Ｎは、信号帯域内のサブキャリア数である。）。ここで、サブキャリア数は任意の値であり、あらかじめ受信信号等の特性を取得した上で、ユーザ等により、最適な特性となったサブキャリア数に設定される値である。
また、雑音抑圧手段６２は、雑音処理後のチャネル推定値Ｈ（ｋ）を等化ウェイト算出手段６３に入力する。
【００２８】
等化ウェイト算出手段６３は、雑音処理後のチャネル推定値Ｈ（ｋ）を用いて、等化ウェイトＷ（ｋ）を算出する（ｋは、０≦ｋ≦Ｎ−１を満たす正の整数。Ｎは、信号帯域内のサブキャリア数である。）。等化ウェイトＷ（ｋ）の算出には、例えば、最小平均二乗誤差（ＭＭＳＥ；Minimum  Mean  Square  Error）法などのアルゴリズムを用いることができる。より具体的には、等化ウェイト算出手段６３は、雑音処理後のチャネル推定値Ｈ（ｋ）と、予め定められたチャネル推定値との誤差（平均二乗誤差）が最小となるウェイトを算出し、当該ウェイトを等化ウェイトＷ（ｋ）とする。
また、等化ウェイト算出手段６３は、等化ウェイトＷ（ｋ）を等化算出手段６４に入力する。
【００２９】
等化算出手段６４は、チャネル推定値Ｈ'（ｋ）と、等化ウェイトＷ（ｋ）とを、サブキャリア毎に乗算し、等化受信信号Ｙ（ｋ）を算出する（ｋは、０≦ｋ≦Ｎ−１を満たす正の整数。Ｎは、信号帯域内のサブキャリア数である。）。
また、等化算出手段１４は、等化受信信号Ｙ（ｋ）を格子点間距離推定手段７に入力する。
等化算出手段６４によって算出された等化受信信号Ｙ（ｋ）は、次の（８）式により表される。
【数８】
2014045483.tif 000010
【００３０】
次に、格子点間距離推定手段７、ＲＳＳＩ推定手段８、ＩＳＳＩ推定手段９、除算手段１０における処理について説明する。
格子点間距離推定手段２は、等化受信信号Ｙ（ｋ）を用いて、格子点間距離推定値ＬＤを算出する。格子点間距離推定値ＬＤは、次の（９）式により表される。
【数９】
2014045483.tif 000011
なお、（９）式において、ｅ（ｋ）は、理想的な等化受信信号と、等化処理手段６から出力された等化受信信号Ｙ（ｋ）との事後誤差を意味する。ここで、事後誤差とは、事後誤差評価において評価された誤差である。事後誤差評価とは、計算された数値解と厳密解との絶対的な差を評価するものである。
【００３１】
図５に、理想的な等化受信信号の特性及び比較例１にかかる等化処理手段６から出力される等化受信信号の特性を示す。図５において、理想的な等化受信信号を実線で示し、比較例１にかかる等化処理手段６から出力される等化受信信号を破線で示す。
図５に示すように、理想的な等化受信信号は、等化処理における雑音信号成分を０とみなすことができる。そのため、理想的な等化受信信号の値は１となる。従って、事後誤差ｅ（ｋ）は、次の（１０）式で表される。
【数１０】
2014045483.tif 000012
そして、上記（９）式及び上記（１０）式から、格子点間距離推定値ＬＤは、次の（１１）式で表される。
【数１１】
2014045483.tif 000013
また、格子点間距離推定手段７は、格子点間距離推定値ＬＤをＲＳＳＩ推定手段８及びＩＳＳＩ推定手段９に入力する。
【００３２】
ＲＳＳＩ推定手段８は、等化受信信号Ｙ（ｋ）を用いて、ＲＳＳＩ（Received  Signal  Strength  Indicator）推定値を算出する。ＲＳＳＩ推定値は、次の（１２）式により表される。
【数１２】
2014045483.tif 000014
ＲＳＳＩ推定値は、等化受信信号Ｙ（ｋ）を信号帯域内のサブキャリア数で同相加算した電力値であり、上記（１２）式に示すように、格子点間距離推定値ＬＤのみで表すことができる。なお、（１２）式において、ｒｅａｌ（Ｘ）は、Ｘの実部を意味し、ＲＳＳＩは、ＲＳＳＩ推定値を意味する。
また、ＲＳＳＩ推定手段８は、ＲＳＳＩ推定値をＩＳＳＩ推定手段９及び除算手段１０に入力する。
【００３３】
ＩＳＳＩ推定手段９は、総受信電力推定手段９１と、減算手段９２等を備えている。
総受信電力推定手段９１は、信号帯域内のサブキャリア数で、等化受信信号Ｙ（ｋ）の電力の加算平均値を算出し、当該平均値を総受信電力推定値とする。具体的には、総受信電力推定値は、次の（１３）式で表される。
【数１３】
2014045483.tif 000015
また、総受信電力推定手段９１は、総受信電力推定値を減算手段９２に入力する。
【００３４】
減算手段９２は、総受信電力推定値からＲＳＳＩ推定値を減算し、ＩＳＳＩ推定値を算出する。具体的には、ＩＳＳＩ推定値は、次の（１４）式で表される。
【数１４】
2014045483.tif 000016
なお、（１４）式において、ＩＳＳＩは、ＩＳＳＩ推定値を意味し、ＲＳＳＩは、ＲＳＳＩ推定値を意味する。
また、ＩＳＳＩ推定手段９は、ＩＳＳＩ推定値を除算手段１０に入力する。
【００３５】
除算手段１０は、ＲＳＳＩ推定値をＩＳＳＩ推定値で除算し、受信品質を表す希望波信号対干渉波信号比（ＳＩＲ；Signal  to  Interference  power  Ratio）を算出する。
【００３６】
以上、説明したように、比較例１にかかるＩＳＳＩ推定手段９では、等化受信信号Ｙ（ｋ）の総受信電力推定値を算出しないと、ＩＳＳＩ推定値を算出できない。そして、（１３）式に示すように、総受信電力推定値を算出するためには、信号帯域内のサブキャリア数で、等化受信信号Ｙ（ｋ）の電力の加算平均値を算出する。そのため、当該加算平均処理の演算量が大きく、受信品質測定装置２００全体の演算量が大きくなってしまう。
【００３７】
以上に説明した本発明の実施の形態１にかかる受信品質測定装置１００、及び、受信品質測定方法においては、等化処理手段１が、受信信号に対し等化処理を行って等化受信信号Ｙ（ｋ）を算出する。また、格子点間距離推定手段２が、等化受信信号Ｙ（ｋ）を用いて格子点間距離推定値ＬＤを算出する。また、ＲＳＳＩ推定手段３が、格子点間距離推定値ＬＤを用いてＲＳＳＩ推定値を算出する。ＩＳＳＩ推定手段４が、格子点間距離推定値ＬＤからＲＳＳＩ推定値を減算して、ＩＳＳＩ推定値を算出する。また、除算手段５が、ＲＳＳＩ推定値をＩＳＳＩ推定値で除算して、受信品質を表すＳＩＲを算出する。
そのため、本発明の実施の形態１にかかる受信品質測定装置１００、及び、受信品質測定方法においては、ＩＳＳＩ推定手段４が、格子点間距離推定値ＬＤからＲＳＳＩ推定値を減算するだけで、ＩＳＳＩ推定値を算出することができる。これにより、より少ない演算量で、受信信号の受信品質を測定することができる。
【００３８】
また、本発明の実施の形態１にかかる受信品質測定装置１００及び受信品質測定方法においては、等化処理手段１は、チャネル推定手段１１と、雑音抑制手段１２と、等化ウェイト算出手段１３と、等化算出手段１４と、を備える。また、チャネル推定手段１１は、受信信号のチャネル推定値Ｈ'（ｋ）を推定する。また、雑音抑制手段１２は、チャネル推定値Ｈ'（ｋ）に対し雑音処理を行う。また、等化ウェイト算出手段１３は、雑音処理後のチャネル推定値Ｈ（ｋ）を用いて、等化ウェイトＷ（ｋ）を算出する。また、等化算出手段１４は、雑音処理後のチャネル推定値Ｈ（ｋ）と、等化ウェイトＷ（ｋ）とを用いて、等化受信信号Ｙ（ｋ）を算出する。
より具体的には、雑音処理後のチャネル推定値をＨ（ｋ）、等化ウェイトをＷ（ｋ）とした場合に、等化受信信号Ｙ（ｋ）は、上述の（１）式で表される。
そのため、等化受信信号Ｙ（ｋ）の電力の期待値を格子点間距離推定値ＬＤで表すことができる。これにより、ＩＳＳＩ推定手段４において、格子点間距離推定値ＬＤからＲＳＳＩ推定値を減算するだけで、ＩＳＳＩ推定値を算出することができる。
【００３９】
以上、実施の形態を参照して本願発明を説明したが、本願発明は上記によって限定されるものではない。本願発明の構成や詳細には、発明のスコープ内で当業者が理解し得る様々な変更をすることができる。
【００４０】
この出願は、２０１２年９月１８日に出願された日本出願特願２０１２−２０４４５９を基礎とする優先権を主張し、その開示の全てをここに取り込む。
【産業上の利用可能性】
【００４１】
より少ない演算量で、受信信号の受信品質を測定することができる受信品質測定装置及び受信品質測定方法を提供することができる。
【符号の説明】
【００４２】
１  等化処理手段
１１  チャネル推定手段
１２  雑音抑圧手段
１３  等化ウェイト算出手段
１４  等化算出手段
２  格子点間距離推定手段
３  ＲＳＳＩ推定手段
４  ＩＳＳＩ推定手段
４１  減算手段
５  除算手段
６  等化処理手段
６１  チャネル推定手段
６２  雑音抑圧手段
６３  等化ウェイト算出手段
６４  等化算出手段
７  格子点間距離推定手段
８  ＲＳＳＩ推定手段
９  ＩＳＳＩ推定手段
９１  総受信電力推定手段
９２  減算手段
１０  除算手段
１００、２００  受信品質測定装置
【図１】
2014045483.tif 000019
【図２】
2014045483.tif 000020
【図３】
2014045483.tif 000021
【図４】
2014045483.tif 000022
【図５】
2014045483.tif 000023
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
受信信号に対し等化処理を行って等化受信信号を算出する等化処理手段と、
前記等化受信信号を用いて格子点間距離推定値を算出する格子点間距離推定手段と、
前記格子点間距離推定値を用いてＲＳＳＩ推定値を算出するＲＳＳＩ推定手段と、
前記格子点間距離推定値から前記ＲＳＳＩ推定値を減算して、ＩＳＳＩ推定値を算出するＩＳＳＩ推定手段と、
前記ＲＳＳＩ推定値を前記ＩＳＳＩ推定値で除算して、受信品質を表すＳＩＲを算出する除算手段と、
を備え、
前記等化処理手段は、チャネル推定手段と、雑音抑圧手段と、等化ウェイト算出手段と、等化算出手段と、を備え、
前記チャネル推定手段は、前記受信信号のチャネル推定値を推定し、
前記雑音抑圧手段は、前記チャネル推定値に対し雑音処理を行い、
前記等化ウェイト算出手段は、前記雑音処理後のチャネル推定値を用いて、等化ウェイトを算出し、
前記等化算出手段は、前記雑音処理後のチャネル推定値と、前記等化ウェイトとを用いて、前記等化受信信号を算出する
受信品質測定装置。
【請求項２】
前記雑音処理後のチャネル推定値をＨ（ｋ）、前記等化ウェイトをＷ（ｋ）とした場合に、前記等化受信信号Ｙ（ｋ）は、次の（１）式で表される請求項１に記載の受信品質測定装置。
【数１】
2014045483.tif 000024
【請求項３】
前記等化受信信号Ｙ（ｋ）の電力の期待値は、前記格子点間距離推定値で表される請求項１又は２に記載の受信品質測定装置。
【請求項４】
受信信号に対し等化処理を行って等化受信信号を算出し、
前記等化受信信号を用いて格子点間距離推定値を算出し、
前記格子点間距離推定値を用いてＲＳＳＩ推定値を算出し、
前記格子点間距離推定値から前記ＲＳＳＩ推定値を減算して、ＩＳＳＩ推定値を算出し、
前記ＲＳＳＩ推定値を前記ＩＳＳＩ推定値で除算して、受信品質を表すＳＩＲを算出し、
前記等化処理において、
前記受信信号のチャネル推定値を推定し、
前記チャネル推定値に対し雑音処理を行い、
前記雑音処理後のチャネル推定値を用いて、等化ウェイトを算出し、
前記雑音処理後のチャネル推定値と、前記等化ウェイトとを用いて、前記等化受信信号を算出する、
受信品質測定方法。
【請求項５】
前記雑音処理後のチャネル推定値をＨ（ｋ）、前記等化ウェイトをＷ（ｋ）とした場合に、前記等化受信信号Ｙ（ｋ）は、次の（１）式で表される請求項４に記載の受信品質測定方法。
【数１】
2014045483.tif 000025
【請求項６】
前記等化受信信号Ｙ（ｋ）の電力の期待値は、前記格子点間距離推定値で表される請求項４又は５に記載の受信品質測定方法。
【国際調査報告】
2014045483.tif 000026
2014045483.tif 000027
2014045483.tif 000028
2014045483.tif 000029